(57)【要約】【課題】  より乾燥処理性能が良く、しかも厨芥投入から乾燥、排出までの一連の処理を短縮化、省力化することが可能な厨芥処理装置を提供する。【解決手段】  傾斜又は水平に回転可能に設けた厨芥収容容器１１の内周面に、螺旋状のリブ部１９を設けると共に、このリブ部１９の巻き方向を、厨芥収容容器１１に投入した厨芥に加熱空気を送風する攪拌ファン１３のなす旋回流方向に一致させる。さらに、厨芥収容容器１１を正回転、停止、逆回転、停止を何度も繰り返すように回転させると共に、正回転又は逆回転する稼動時間Ｔ１又はＴ３よりも停止時間Ｔ２が長くなるよう設定する。【選択図】図１
2005305326.tif 000002
【特許請求の範囲】
【請求項１】
傾斜又は水平に設けた第１の収容容器と、前記第１の収容容器に投入した被処理物を加熱するよう前記第１の収容容器の開口部に対向して設けた加熱手段と、前記加熱部によって加熱した空気を前記第１の収容容器内に送風する送風手段と、前記第１の収容容器を回転する回転駆動手段と、前記第１の収容容器を回転可能に支持する第２の収容容器とを備えた厨芥処理装置において、
前記第１の収容容器は、その内周面に螺旋状のリブ部を有し、前記第１の収容容器の回転に伴って前記第１の収容容器内の被処理物を前記リブ部に沿って移動させることを特徴とする厨芥処理装置。
【請求項２】
前記リブ部の巻き方向は、前記送風手段が発生する旋回流方向に一致していることを特徴とする請求項１に記載の厨芥処理装置。
【請求項３】
前記回転駆動手段は、前記第１の収容容器が正回転、停止、逆回転、停止を順次繰り返すように回転することを特徴とする請求項１に記載の厨芥処理装置。
【請求項４】
前記回動駆動手段は、正回転、或いは逆回転する稼動時間よりも停止時間が長くなるように予め設定されていることを特徴とする請求項１に記載の厨芥処理装置。
【請求項５】
前記第１の収容容器は、前記第２の収容容器内に落とし込まれた状態で配置され、前記第１の収容容器と前記第２の収容容器との開口部間に、前記第１の収容容器内の被処理物を前記第２の収容容器外に排出可能とする排出機構部を設けたことを特徴とする請求項１に記載の厨芥処理装置。
【請求項６】
前記排出機構部は、前記第２の収容容器の開口部近傍に形成された排出口と、前記排出口を開閉可能とする開閉蓋部と、前記排出口から排出される前記被処理物を誘導する誘導部とを備えていることを特徴とする請求項５に記載の厨芥処理装置。
【発明の詳細な説明】
【技術分野】
【０００１】
この発明は、厨芥処理装置に関するものであり、さらに詳しくは、一般家庭や飲食店で発生する厨芥を乾燥させて減量するための厨芥処理装置に関するものである。
【背景技術】
【０００２】
従来、厨芥処理装置には、一般家庭や飲食店で発生する厨芥（生ゴミ）を加熱によって乾燥させて減量（減質量及び減容量）するものがある。このような厨芥処理装置は、例えば、特許文献１に記載のものによると、厨芥収容容器内の下部に設けた攪拌板及び傾斜型（或いは水平型）収容容器自体でもって投入された厨芥を連続的に攪拌しながら容器上方に設けた加熱部によって加熱することにより厨芥を乾燥処理するように構成されている。
しかしながら、上記した従来の厨芥処理装置にあっては、次のような問題がある。すなわち、加熱された厨芥は、組織が破壊されて水分を排出すると共に、軟化するためにくっつき易くなる。そのため、そのような厨芥を収容容器内で連続的に攪拌したり天地返しを行うと収容容器の底部でボール状の塊となってしまうという問題がある。そして、ボール状の塊となった厨芥は、均一な攪拌を妨げてしまうだけでなく、表面積の減少によって表面は乾いても内部には水分が多く残ってしまうので、充分に乾燥しなかったり、或いは乾燥するまで時間が掛かってしまうという問題がある。
【０００３】
そこで、このような問題を解決するために、攪拌羽根や攪拌棒によって収容容器内の厨芥を攪拌することが提案されているが、そのような方法によると、攪拌羽根や攪拌棒に厨芥が絡まってしまう虞があり、羽根折れや駆動モータ等の破損や収容容器内の掃除がしにくいという問題が発生してしまう。
また、乾燥処理終了後の厨芥は、厨芥処理装置から収容容器ごと取り出してから捨てに行くように構成されている。このため、厨芥投入から乾燥、排出までの一連の厨芥処理に手間や時間が掛かってしまうという問題もある。
【０００４】
【特許文献１】特開平０６−１２３５５５号公報
【発明の開示】
【発明が解決しようとする課題】
【０００５】
そこで、この発明は、上記した従来の厨芥処理装置が有している問題点を解決するためになされたものであって、より乾燥処理性能が良く、しかも厨芥投入から乾燥、排出までの一連の処理を短縮化、省力化することが可能な厨芥処理装置を提供することを目的とする。
【課題を解決するための手段】
【０００６】
第１の発明は、上記目的を達成するために、傾斜又は水平に設けた第１の収容容器と、前記第１の収容容器に投入した被処理物を加熱するよう前記第１の収容容器の開口部に対向して設けた加熱手段と、前記加熱部によって加熱した空気を前記第１の収容容器内に送風する送風手段と、前記第１の収容容器を回転する回転駆動手段と、前記第１の収容容器を回転可能に支持する第２の収容容器とを備えた厨芥処理装置において、
前記第１の収容容器は、その内周面に螺旋状のリブ部を有し、前記第１の収容容器の回転に伴って前記第１の収容容器内の被処理物を前記リブ部に沿って移動させることを特徴とする。
【０００７】
第２の発明は、上記目的を達成するために、第１の発明の構成に加えて、前記リブ部の巻き方向は、前記送風手段が発生する旋回流方向に一致していることを特徴とする。
【０００８】
第３の発明は、上記目的を達成するために、第１の発明の構成に加えて、前記回転駆動手段は、前記第１の収容容器が正回転、停止、逆回転、停止を順次繰り返すように回転することを特徴とする。
【０００９】
第４の発明は、上記目的を達成するために、第１の発明の構成に加えて、前記回動駆動手段は、正回転、或いは逆回転する稼動時間よりも停止時間が長くなるように予め設定されていることを特徴とする。
【００１０】
第５の発明は、上記目的を達成するために、第１の発明の構成に加えて、前記第１の収容容器は、前記第２の収容容器内に落とし込まれた状態で配置され、前記第１の収容容器と前記第２の収容容器との開口部間に、前記第１の収容容器内の被処理物を前記第２の収容容器外に排出可能とする排出機構部を設けたことを特徴とする。
【００１１】
第６の発明は、上記目的を達成するために、第５の発明の構成に加えて、前記排出機構部は、前記第２の収容容器の開口部近傍に形成された排出口と、前記排出口を開閉可能とする開閉蓋部と、前記排出口から排出される前記被処理物を誘導する誘導部とを備えていることを特徴とする。
【発明の効果】
【００１２】
第１の発明によれば、第１の収容容器が回転すると、第１の収容容器に投入された被処理物は、第１の収容容器の内周面に設けられた螺旋状のリブ部に沿って移動する。これにより、被処理物は、リブ部に沿って移動しながら加熱手段及び送風手段によって加熱されるので、加熱により組織が破壊された状態でもくっつき難くなる。従って、被処理物がボール状の塊となって収容容器の底部に溜まるのを防止することができる。また、加熱手段を従来のものよりも高出力化することなく、被処理物に含まれた水分を短時間、しかも均一に蒸発させることができるので、乾燥処理性能の向上を図ることができて厨芥の乾燥処理時間が短縮化する。さらに、第１の収容容器にリブ部を設けたので、厨芥処理装置を大幅に構造変更する必要はなくて低コストに実現することができるうえに、既販装置にも容易に適用することができる。
【００１３】
第２の発明によれば、リブ部の巻き方向は、送風手段が発生する旋回流方向に一致している。これにより、第１の発明の作用効果に加えて、リブ部は、送風手段が生じた気流を乱すことなく第１の収容容器の底部側に向かって送風させると共に、第１の収容容器内を淀みなく対流させるので、従来と同様の加熱手段及び送風手段を用いても被処理物を満遍なく加熱することが可能となり、厨芥処理装置における乾燥処理性能をさらに向上させることができる。
【００１４】
第３の発明によれば、第１の収容容器は、回転駆動手段によって正回転、停止、逆回転、停止を順次繰り返すように回転する。これにより、第１の発明の作用効果に加えて、被処理物は、第１の収容容器の回転中心軸方向と同一方向に向かって往復移動するので、加熱により被処理物の組織を破壊してもくっつき難くなる。従って、被処理物がボール状の塊となることをより強力に防止することができる。
【００１５】
第４の発明によれば、第１の収容容器は、正回転、或いは逆回転する稼動時間よりも停止時間が長くなるように回転する。これにより、第１の発明の作用効果に加えて、第１の収容容器に投入された被処理物は、天地返しを間隔をあけて繰り返すので、加熱により被処理物の組織を破壊してもくっつき難くなる。従って、被処理物がボール状の塊となることをより強力に防止することができる。
【００１６】
第５の発明によれば、乾燥処理が行われた厨芥は、第１の収容容器を外すことなく第１の収容容器外に排出される。これにより、第１の発明の作用効果に加えて、乾燥処理を行ったあとは、毎回のように第１の収容容器を外して被処理物を捨てに行く必要はなくなるので、乾燥処理した被処理物を排出処理する際の手間や時間を省くことができる。
【００１７】
第６の発明によれば、開閉蓋部を開動作することによって排出口から排出される被処理物は、誘導部によって誘導されながら落下する。これにより、第５の発明の作用効果に加えて、第１の収容容器内の被処理物を第１の収容容器を取り外すことなく簡単に排出することができるうえに、所望する落下位置に被処理物を落下させることができるので、被処理物を漏れなく簡単に集積することができる。
【００１８】
これらの結果、より乾燥処理性能が良く、しかも厨芥投入から乾燥、排出までの一連の処理を短縮化、省力化することが可能な厨芥処理装置を提供することができる。
【発明を実施するための最良の形態】
【００１９】
第１の収容容器の内周面に螺旋状のリブ部を設けることによって、第１の収容容器内に投入した厨芥の均一な攪拌及び乾燥処理が実現した。
【実施例】
【００２０】
以下、本発明の一実施例について図面を用いて説明する。図１は、本発明が適用された厨芥処理装置を説明するための側断面図、図２は、厨芥収容容器の拡大断面図、図３（ａ）は、厨芥収容容器の側面図、（ｂ）は、（ａ）中のＡ矢視図、図４は、攪拌モータの回転頻度を示した稼動チャート、図５（ａ）は、閉状態の排出機構部を示した側面図、（ｂ）は、開状態の排出機構部を示した側面図である。
【００２１】
本発明が適用された厨芥処理装置について説明する。図１に示されたように、本厨芥処理装置１０は、非処理物としての厨芥が投入される第１の収容容器としての厨芥収容容器（以下、収容容器という）１１と、この収容容器１１に投入された厨芥を加熱するように収容容器１１の開口部に対向して設けられた加熱手段としてのヒータ１２と、ヒータ１２によって加熱された空気を収容容器１１内に送風する送風手段としての攪拌ファン１３と、収容容器１１を回転する回転駆動手段としての攪拌モータ１４と、収容容器１１を回転可能に支持する第２の収容容器としての筒状断熱容器（以下、断熱容器という）１５とを備えて構成されている。
【００２２】
収容容器１１は、図１，２に示されるように、装置本体に取り付けられた傾斜型の断熱容器１５の内部に、断熱容器１５と共に傾斜し、且つ断熱容器１５内に落とし込まれることによって液垂れが防止された状態で、着脱可能、且つ回転可能に支持されている。この収容容器１１の開口部は、断熱容器１５の開口部よりも低い位置、すなわち断熱容器１５の開口部よりも奥深い位置に位置していると共に、これら収容容器１１及び断熱容器１５の開口部は、装置本体にヒンジ結合された投入口蓋１６によって開閉可能とされている。
【００２３】
投入口蓋１６の裏面側には、ヒータ１２（例えば、シーズヒータ）と攪拌ファン１３とが収容容器１１の開口部に対向するように設けられている。攪拌ファン１３は、投入口蓋１６に内蔵された冷却ファン付のファンモータ１７によって駆動されるものであって、厨芥の乾燥処理の開始から終了まで連続して回転するように図示しない制御部によって駆動制御される。この攪拌ファン１３の回転中心軸は、収容容器１１の回転中心軸Ｚ上に位置していると共に、攪拌ファン１３によって生じた気流は、攪拌ファン１３の前方、つまり収容容器１１の開口部から底部側に向かって流れるようになっている。
【００２４】
ヒータ１２は、攪拌ファン１３の前方側、且つ収容容器１１の回転中心軸Ｚに対して同心円状に配置されているものであって、厨芥の乾燥処理の開始から終了まで連続的、或いは断続的に収容容器１１内の空気（厨芥）を加熱するように制御部によって制御される。そして、これらヒータ１２及び攪拌ファン１３の周囲には、筒状のシュラウド１８が収容容器１１の上端開口部内に達するように延設されており、ヒータ１２及び攪拌ファン１３の作用を高めるようになっている。
【００２５】
収容容器１１の内周面には、収容容器１１の長手方向、つまり開口部から底部にかけて螺旋状（或いは渦巻状）のリブ部１９が一体的に設けられている。このリブ部１９は、攪拌ファン１３のなす旋回流方向、つまり攪拌ファン１３の回転方向と同一方向となるように、少なくとも右巻き状、或いは左巻き状のうち何れか１つに形成されているものであって、攪拌ファン１３によって生じた気流を乱すことなく収容容器１１の底部側に向かって送風可能、且つ収容容器１１内を淀みなく対流可能とすると共に、収容容器１１内に投入された厨芥を収容容器１１の回転中心軸Ｚと同一方向に向かって往復移動可能としている。従って、ヒータ１２によって加熱された空気は、攪拌ファン１３が生じた気流によって収納容器の底部に向かって乱れることなく送風されたのち収容容器１１内を淀みなく対流する間に、収容容器１１の回転に伴ってリブ部１９に沿って往復移動する厨芥をほぼ均一にむらなく加熱する。
【００２６】
なお、このリブ部１９のリブ幅は、収容容器１１の長手方向に亘ってほぼ等しくなるように形成されているが、これに限定されるものではない。また、図１〜３中にあっては２巻きとされたリブ部１９の巻き数も、これに限定されるものではなく、収容容器１１の大きさや攪拌ファン１３の形状、旋回流等に応じて任意に設定することができる。
【００２７】
収容容器１１の底面側には、収容容器１１を正逆回転駆動する駆動軸２０が着脱可能に嵌合する軸受け部２１が一体的に設けられている。駆動軸２０は、収容容器１１の回転中心軸Ｚ上に配置されているものであって、断熱容器１５の底面側に取り付けられた攪拌モータ１４及び減速装置２２によって駆動される。この攪拌モータ１４は、上述した制御部によって駆動制御されるものであって、厨芥の乾燥処理を行う場合にあっては、図４に示されるように、正回転、停止、逆回転、停止を何度も繰り返すように設定されたモータ回転頻度に従って駆動制御される。これにより、収容容器１１内の厨芥は、リブ部１９に沿いながら収容容器１１の底部と開口部との間を往復移動するため、収容容器１１の底部に溜まるようなことはない。
【００２８】
さらに、この攪拌モータ１４は、正回転又は逆回転する稼動時間Ｔ１又はＴ３よりも停止時間Ｔ２が長くなるように駆動制御されると共に、これらの稼動時間Ｔ１，Ｔ３は、収容容器１１内の厨芥が反転するのに充分な時間、つまり収容容器１１が少なくとも１回転するのに要する時間よりも大となるように予め設定されている。これにより、収容容器１１内の厨芥は、１回転する間に天地返しを繰り返すので、乾燥した部分と水分を含んだ部分とが混じり合うように充分に攪拌される。
なお、本厨芥処理装置１０における厨芥の乾燥処理は、図示しないセンサによる自動停止制御であるが、タイマーによる停止制御も可能である。
【００２９】
さらにまた、攪拌モータ１４は、厨芥の乾燥処理が終了するとほぼ直ちに厨芥の排出動作を開始するように駆動制御される。すなわち、収容容器１１内から厨芥を排出する場合にあっては、この攪拌モータ１４は、収容容器１１内の厨芥が低位側のリブ部１９に沿いながら開口部に向かって移動するように回転する。
【００３０】
ところで、厨芥を加熱することによって発生した臭気成分を含んだ水蒸気は、断熱容器１５の最低部位に接続された排気管２３を介して装置外部に強制排気される。この排気管２３の下流側には、断熱容器１５内の水蒸気を吸引するための図示しない排気ファンと、この排気ファンによって吸引された水蒸気の臭気成分を脱臭加熱ヒータ及び酸化触媒によって酸化分解する脱臭部２４と、脱臭部２４から排出された高温の排気を外気と混合して温度、湿度とも外気並みとする希釈部２５とが配設されている。そして、脱臭、希釈処理された排気は、装置本体の下面側から外部に排出される。
なお、これら排気ファン、脱臭部２４、希釈部２５は、乾燥処理の開始に伴って作動を開始する。
【００３１】
収容容器１１と断熱容器１５との開口部間低位側には、収容容器１１内で乾燥処理が終了した厨芥を断熱容器１５外に排出するための排出機構部２６が設けられている。この排出機構部２６は、図５（ａ），（ｂ）に示されるように、少なくとも収容容器１１と断熱容器１５との開口部間低位側に亘って開口形成された排出口２７を開閉蓋部としての排出口蓋２８によって開閉するものである。そのため、排出口蓋２８には、断熱容器１５の外周面に設けられた軸受け部２９に揺動可能に係合するための揺動軸部３０が一体的に形成されている。また、この排出口蓋２８は、厨芥を下方側に向けてスムーズに排出させる誘導シュートとしての機能的形状を有していると共に、排出口蓋２８を開閉動作させる駆動モータ３１の駆動軸３２に結合固定された第１の偏芯カム３３が摺接する板状の摺接部３４が一体的に設けられている。なお、排出口蓋２８と誘導シュートとを別体形成してもよい。
【００３２】
駆動モータ３１は、制御部によって駆動制御されるものであって、収容容器１１内の厨芥の乾燥処理が終了すると、第１の偏芯カム３３が摺接部３４を下降移動させて排出口蓋２８を開動作させるように回動する。また、この駆動モータ３１は、収容容器１１内の厨芥の排出が完了すると、第１の偏芯カム３３が摺接部３４を上昇移動させて排出口蓋２８を閉動作させるように回動する。また、この駆動モータ３１の駆動軸３２には、排出口蓋２８が開動作、或いは閉動作したことを検知する検知手段としてのマイクロスイッチ３５をスイッチ操作する第２の偏心カム３６が結合固定されている。なお、マイクロスイッチ３５の取付位置は、図１、図５に図示された箇所のみに限定されるものではない。
【００３３】
なお、収容容器１１内の厨芥の排出が完了したことは、例えば、重量センサ、赤外線センサ等の検出センサ（図示せず）によって検出される。さらに、この検出センサの検出結果に基づいて、排出口蓋２８を閉動作するように駆動モータ３１が駆動制御されるだけでなく、収容容器１１内の厨芥を排出するように回転している攪拌モータ１４の停止制御がなされるようになっているが、タイマーによる停止制御も可能である。
【００３４】
排出機構部２６の下方側には、この排出機構部２６によって排出された厨芥を回収し集積するための回収集積部としての受け箱３７が配設されている。この受け箱３７は、装置本体内部に配設された左右一対のスライドレール（但し図中にあっては、一側方のスライドレールのみ図示）３８によって装置本体の前面側に容易、且つスムーズに引き出し可能とされ、その内部には、対向した側面に、例えば手提げ袋のような袋体３９を拡げた状態で係止させるための一対の係止部４０，４０がそれぞれ設けられている。袋体３９は、収容容器１１から排出される厨芥をこぼすことなく確実に回収可能とする開口部を有すると共に、少なくとも１週間から１ヶ月分程度の乾燥処理した厨芥を集積するのに必要な容量が確保されている。
【００３５】
次に、本厨芥処理装置１０による厨芥の乾燥処理を説明する。
まず、投入口蓋１６を開けて収容容器１１内の低位側にほぼ均等に行き渡るように厨芥を投入する（但し、投入した際に厨芥が塊となってしまっても攪拌作用により充分にほぐされる）。それから、投入口蓋１６を閉じて図示しないスタートスイッチを操作すると脱臭部ヒータが作動し、所定の温度（例えば、３５０℃）になった後、ヒータ１２、攪拌モータ１４及びファンモータ１７に通電され、ヒータ１２によって加熱された空気は、リブ部１９の作用により、攪拌ファン１３が生じた気流によって収容容器１１の底部に向かって乱れることなく送風されたのち収容容器１１内を淀みなく対流する。また、これと同時に、収容容器１１は、図４に示された稼動チャートに従って、正回転、停止、逆回転、停止を順次繰り返すことによって、厨芥をリブ部１９に沿わせた状態で底部と開口部との間を往復移動させながら天地返しを何度も繰り返す。このため、収容容器１１内の厨芥は、加熱されて組織が壊れてもボール状の塊になって収容容器１１の底部に溜まるようなことはなく、収容容器１１内の低位側にほぼ均等に行き渡った性状のまま、その表面が加熱空気によってほぼ均一にむらなく加熱されるため水分が蒸発すると共に、常に加熱空気にさらされている表面に気圧差が生じて、表面の水分の気化が促進される。さらに、表面の水分が蒸発した厨芥は、天地返しが繰り返されるごとに水分を多く含む面に入れ代わると共に、乾いた面と水分を多く含む面との攪拌が絶えず行われることにより、厨芥に含まれる水分はほぼ均一に、しかも短時間で蒸発していくため厨芥の乾燥が効率的に行われる。
【００３６】
また、厨芥の乾燥処理の開始に伴って排気ファンが作動を開始し、厨芥から発生した水蒸気を排気管２３を介して吸引したのち、脱臭部２４及び希釈部２５によって脱臭及び希釈処理を施してから、装置本体の下面側から外部に排出するため、厨芥の乾燥処理を行っても悪臭が立ちこめるようなことはない。
【００３７】
厨芥の乾燥処理が終了すると、直ちに厨芥の排出動作が開始される。すなわち、収容容器１１内の厨芥を低位側のリブ部１９に沿って開口部に向かって移動させるように攪拌モータ１４が回転すると同時に、第１の偏芯カム３３が摺接部３４を下降移動させて排出口蓋２８を開動作させるように駆動モータ３１が回動する。排出口蓋２８が開動作して所定角度になると第２の偏心カム３６がマイクロスイッチ３５をスイッチ操作をすることにより駆動モータ３１が停止し、排出口蓋２８は開いたままの状態を保持する。
【００３８】
そして、攪拌モータ１４の回転に伴ってリブ部１９に沿って収容容器１１の開口部に移動してきた厨芥は、やがて開口部から落下し排出口２７から断熱容器１５の下方側に排出される際に、排出口蓋２８によって誘導されることによって、受け箱３７内に拡げられた袋体３９にこぼれることなく正確に回収、集積される。そして、収容容器１１内の厨芥の排出が完了したことを検出センサが検出すると、排出口蓋２８を閉動作するように駆動モータ３１が駆動制御されると共に、収容容器１１内の厨芥を排出するように回転している攪拌モータ１４が停止する。
【００３９】
袋体３９は、少なくとも１週間から１ヶ月分程度の乾燥処理した厨芥を集積するのに必要な容量が確保されているため、乾燥処理を行ったあと毎回のように収容容器１１を外して厨芥を捨てに行く必要はない。さらに、受け箱３７は、１ヶ月分程度の乾燥処理した厨芥を集積してもスライドレール３８によって装置本体から容易に引き出すことができるので、厨芥投入から乾燥、排出までの一連の厨芥処理に手間や時間が掛かることはない。
【００４０】
本厨芥処理装置１０を用いた評価試験結果によると、従来のリブ無し、連続回転の厨芥処理装置を用いて刻みキャベツ約１kgを４．５時間乾燥処理した後の含有水分量は２３％であり、そのうえボール状の塊となってしまうため均一な乾燥は望めなかった。これに対し、同条件の下で本厨芥処理装置１０を用いて乾燥処理した後の含有水分量は６．８％であり、大幅な乾燥性能の向上及びむらのない均一な仕上がりが得られる結果となった。
【００４１】
以上説明したように、本厨芥処理装置１０によれば、収容容器１１が回転すると、この収容容器１１に投入された厨芥は、収容容器１１の内周面に設けられた螺旋状のリブ部１９に沿って移動する。これにより、厨芥は、リブ部１９に沿って移動しながらヒータ１２及び攪拌ファン１３によって加熱されるので、加熱により組織が破壊された状態でもくっつき難くなる。従って、厨芥がボール状の塊となって収容容器１１の底部に溜まるのを防止することができる。また、ヒータ１２を従来のものよりも高出力化することなく、被処理物に含まれた水分を短時間、しかも均一に蒸発させることができるので、乾燥処理性能の向上を図ることができて厨芥の乾燥処理時間が短縮化する。さらに、収容容器１１にリブ部１９を設けたので、厨芥処理装置を大幅に構造変更する必要はなくて低コストに実現することができるうえに、既販装置にも容易に適用することができる。
また、本発明によれば、リブ部１９の巻き方向は、攪拌ファン１３が発生する旋回流方向に一致している。これにより、リブ部１９は、攪拌ファン１３が生じた気流を乱すことなく収容容器１１の底部側に向かって送風させると共に、収容容器１１内を淀みなく対流させるので、従来と同様のヒータ及び攪拌ファンを用いても厨芥を満遍なく加熱することが可能となり、厨芥処理装置１０における乾燥処理性能をさらに向上させることができる。
【００４２】
また、本発明によれば、収容容器１１は、攪拌モータ１４によって正回転、停止、逆回転、停止を順次繰り返すように回転する。これにより、厨芥は、収容容器１１の回転中心軸Ｚと同一方向、すなわち底部と開口部との間を往復移動するので、加熱により厨芥の組織を破壊してもくっつき難くなる。従って、厨芥がボール状の塊となることを強力に防止することができる。
また、本発明によれば、収容容器１１は、正回転、或いは逆回転する稼動時間よりも停止時間が長くなるように回転する。これにより、収容容器１１に投入された厨芥は、天地返しを間隔をあけて繰り返すので、加熱により厨芥の組織を破壊してもくっつき難くなる。従って、厨芥がボール状の塊となることを強力に防止することができる。
また、収容容器１１は、正方向、或いは逆方向に少なくとも１回転する。これにより、収容容器１１が１回転する間に数度天地返しを行った厨芥は、乾燥した部分と水分を含んだ部分とが充分に混じり合うように攪拌される。従って、厨芥をボール状の塊とならないようにすることができるうえに、厨芥への均一な加熱及び乾燥を可能とすることによって、厨芥処理装置１０における乾燥処理性能の大幅な向上を得ることができる。
【００４３】
また、本発明によれば、乾燥処理が行われた厨芥は、収容容器１１を外すことなく断熱容器１５外に排出される。これにより、乾燥処理を行ったあとは、毎回のように収容容器１１を外して厨芥を捨てに行く必要はなくなるので、乾燥処理した厨芥を排出処理する際の手間や時間を省くことができる。
また、本発明によれば、排出口蓋２８を開動作することによって排出口から排出される厨芥は、排出口蓋２８の誘導シュートによって誘導されながら落下する。これにより、収容容器１１内の厨芥を収容容器１１を取り外すことなく簡単に排出することができるうえに、所望する落下位置に厨芥を落下させることができるので、排出された厨芥を漏れなく簡単に集積することができる。
また、排出機構部２６の下方側には、排出口２７から排出された厨芥を回収し集積する受け箱３７が設けられている。これにより、乾燥処理した厨芥が容易に回収、集積されることによって厨芥の排出処理を短縮化、省力化することができる。
【００４４】
これらの結果、より乾燥処理性能が良く、しかも厨芥投入から乾燥、排出までの一連の処理を短縮化、省力化することが可能な厨芥処理装置１０を提供することができる。
【００４５】
なお、本発明は、厨芥乾燥処理にのみ適用されるものではなく、例えば、食品乾燥処理装置などの乾燥処理装置全般に適用することができる。
【図面の簡単な説明】
【００４６】
【図１】本発明が適用された厨芥処理装置を説明するための側断面図である。
【図２】厨芥収容容器の拡大断面図である。
【図３】（ａ）は、図２における側面図、（ｂ）は、（ａ）中のＡ矢視図である。
【図４】攪拌モータの回転頻度を示した稼動チャートである。
【図５】（ａ）は、閉状態にある排出機構部を示した側面図、（ｂ）は、開状態にある排出機構部を示した側面図である。
【符号の説明】
【００４７】
１０  厨芥処理装置
１１  厨芥収容容器（第１の収容容器）
１２  ヒータ（加熱手段）
１３  攪拌ファン（送風手段）
１４  攪拌モータ（回転駆動手段）
１５  筒状断熱容器（第２の収容容器）
１９  リブ部
２６  排出機構部
２７  排出口
２８  排出口蓋（開閉蓋部）
３７  受け箱（回収集積部）
Ｚ    回転中心軸
【図１】
2005305326.tif 000003
【図２】
2005305326.tif 000004
【図３】
2005305326.tif 000005
【図４】
2005305326.tif 000006
【図５】
2005305326.tif 000007